(57)【要約】【課題】遊技者が直接手に触れることなくメダル貸出機から遊技機にメダルを移すことができる構造を持ち、その構造が、遊技者の邪魔になる可能性が低く、高い耐久性を持つメダル貸出機を提供する。【解決手段】メダルを貯留する貯留部６５を備える箱状部材６０が収納位置から突出位置まで筐体に対してモータ８１の駆動によりスライド可能とするスライド機構と、軸体を回転軸として貯留部６５を回転させる回転駆動部７３を備え貯留部６５内のメダルを箱状部材６０の側方開口部６６を介して搬送する側方搬送機構７１と、箱状部材６０が収納位置にある間にメダル供給部が貯留部６５にメダルを供給するように制御し、側方搬送機構７１によるメダルの搬送が完了した後にボタンスイッチ６８に入力があると、まず貯留部６５を元の位置に戻し、次に箱状部材６０を収納位置に戻すように制御を行う制御部とを備える。【選択図】　図４
2004073546.tif 000002
【特許請求の範囲】
【請求項１】
メダル投入部を備える遊技機に隣接して設置され、前記遊技機で使用するメダルを貸し出すメダル貸出機であって、
フロントパネルを備える筐体と、
上方に向け開口する上方開口部、および、前記メダルを貯留する貯留部を備える箱状部材と、
前記箱状部材が前記筐体にほぼ完全に収納された収納位置から、前記箱状部材が前記フロントパネルから所定距離だけ突出する突出位置まで、前記箱状部材を前記筐体に対してスライド可能とするスライド機構と、を有し、
前記箱状部材は、側方に開口する側方開口部、および、前記貯留部内のメダルを前記側方開口部を介して前記箱状部材の外に搬送する側方搬送機構、を備えるメダル貸出機。
【請求項２】
請求項１に記載のメダル貸出機であって、
前記スライド機構に、前記箱状部材を前記収納位置から前記突出位置まで駆動する箱状部材駆動部をさらに備えるメダル貸出機。
【請求項３】
請求項１または２に記載のメダル貸出機であって、
前記箱状部材が前記突出位置に達した後に、前記側方搬送機構を動作させるように制御する制御部を、さらに有するメダル貸出機。
【請求項４】
請求項１ないし３のいずれかに記載のメダル貸出機であって、
前記側方搬送機構は、その動作を駆動する駆動部を備える、メダル貸出機。
【請求項５】
請求項１ないし３のいずれかに記載のメダル貸出機であって、
前記側方搬送機構は、
前記貯留部に設けられた側面部と、
前記側方開口部側の底辺とほぼ平行に前記貯留部に設けられ、前記箱状部材に固定された軸体と、
前記軸体を回転軸として前記貯留部を回転させて、前記側面部を前記側方開口部から外方に倒す回転駆動部と、を備える、メダル貸出機。
【請求項６】
請求項１ないし３のいずれかに記載のメダル貸出機であって、
前記側方搬送機構は、
前記貯留部の側面に設けられたガイド部と、
前記貯留部の下面に設けられたスライド部と、
前記スライド部に係合する側方搬送機構駆動部と、を備え、
前記側方搬送機構駆動部が、前記ガイド部によってガイドされる前記貯留部を前記側方開口部から外方にせり出させる、メダル貸出機。
【請求項７】
請求項１ないし６のいずれかに記載のメダル貸出機であって、
前記貯留部は前記遊技機のメダル投入部より高い位置にあり、
前記側方搬送機構は前記メダル投入部へ前記メダルを搬送するように形成されている、メダル貸出機。
【請求項８】
請求項４ないし７のいずれかに記載のメダル貸出機であって、
前記制御部は、まず前記回転駆動部または前記側方搬送機構駆動部が前記貯留部を元の位置に戻し、次に前記箱状部材駆動部が前記箱状部材を前記収納位置に戻すように制御をさらに行うメダル貸出機。
【請求項９】
請求項４ないし７のいずれかに記載のメダル貸出機であって、
前記貯留部および前記箱状部材の元の位置への収納を開始させる指示を入力する収納開始指示入力部をさらに有し、
前記制御部は、前記収納開始指示入力部に入力があると、まず前記回転駆動部が前記貯留部を元の位置に戻し、次に前記箱状部材駆動部が前記箱状部材を前記収納位置に戻す制御をさらに行う、メダル貸出機。
【請求項１０】
請求項３ないし９のいずれかに記載のメダル貸出機であって、
前記上方開口部を介して前記貯留部に所与の枚数のメダルを供給するメダル供給部をさらに有し、
前記制御部は、前記箱状部材が収納位置にある間に前記メダル供給部が前記貯留部にメダルを供給する制御をさらに行う、メダル貸出機。
【発明の詳細な説明】
【０００１】
【発明の属する技術分野】
本発明は、遊技機に隣接して設置されるメダル貸出機に関する。
【０００２】
【背景技術および発明が解決しようとする課題】
スロットマシンなどの遊技機で使用されるメダルを貸し出すメダル貸出機は、遊技店舗などに配置される各スロットマシンなどの脇に１台ずつ配置されることが一般的である。このようなメダル貸出機から貸し出されるメダルは、従来、遊技客がメダル貸出機のメダル送出部から手でつかみ、スロットマシンなどのメダル投入部に移して用いていた。しかしながら、この方法ではメダルの移動に手間がかかる上に、メダルによって遊技客の手が汚れてしまう。
【０００３】
そこで、近年、メダル貸出機から送出されるメダルに遊技客が直接手を触れることなくスロットマシンなどにメダルを移すことができるように、メダル貸出機のメダル送出部にホース状の管路を備え、その管路の先端からメダルをスロットマシンなどのメダル投入部に直接移すことができるようにする付加構造を備えたメダル貸出機が増えてきている。
【０００４】
ところが、このような管路を備えたメダル貸出機においては、メダルが管路の途中で詰まらないように緩やかなカーブを描いて屈曲するように形成されているため場所を取り、しかも常に筐体の外に位置しているため、遊技者の邪魔になることがあった。また、ホースの先端をスロットマシンなどのメダル投入部に移動させるために屈曲が繰り返されることにより、破損してしまうこともあった。
【０００５】
本発明は、上記のような点に鑑みてなされたものであって、その目的は、少なくとも下記のいずれかの作用効果を奏することのできる遊技機を提供することにある。
１）　遊技者が直接手に触れることなくメダル貸出機から遊技機にメダルを移すことができる構造を備える。
２）　１）の構造が遊技者の邪魔になる可能性が低い。
３）　１）の構造が高い耐久性を持つ。
【０００６】
【課題を解決するための手段】
（１）　本発明にかかるメダル貸出機は、メダル投入部を備える遊技機に隣接して設置され、前記遊技機で使用するメダルを貸し出すメダル貸出機であって、フロントパネルを備える筐体と、上方に向け開口する上方開口部、および、前記メダルを貯留する貯留部を備える箱状部材と、前記箱状部材が前記筐体にほぼ完全に収納された収納位置から、前記箱状部材が前記フロントパネルから所定距離だけ突出する突出位置まで、前記箱状部材を前記筐体に対してスライド可能とするスライド機構と、を有し、前記箱状部材は、側方に開口する側方開口部、および、前記貯留部内のメダルを前記側方開口部を介して前記箱状部材の外に搬送する側方搬送機構、を備える。
【０００７】
本発明のメダル貸出機によれば、メダルを貯留する貯留部を備える箱状部材をスライド機構がスライドさせてフロントパネルから突出する位置まで移動させ、側方搬送機構によって貯留部内のメダルを箱状部材の側方開口部を介して箱状部材の外に搬送できるため、遊技者が直接手に触れることなくメダル貸出機から遊技機にメダルを移すことが可能となる。
【０００８】
（２）　なお、前記スライド機構に、前記箱状部材を前記収納位置から前記突出位置まで駆動する箱状部材駆動部をさらに備えていてもよい。
【０００９】
（３）　また、本発明にかかるメダル貸出機は、前記箱状部材が前記突出位置に達した後に、前記側方搬送機構を動作させるように制御する制御部を、さらに有していてもよい。
これによって、側方搬送機構が筐体などに干渉することなく、箱状部材のスライド機構による移動を行うことができる。
【００１０】
（４）　さらに、前記側方搬送機構は、その動作を駆動する駆動部を備えていてもよい。
【００１１】
（５）　そして、　前記側方搬送機構は、前記貯留部に設けられた側面部と、前記側方開口部側の底辺とほぼ平行に前記貯留部に設けられ、前記箱状部材に固定された軸体と、前記軸体を回転軸として前記貯留部を回転させて、前記側面部を前記側方開口部から外方に倒す回転駆動部と、を備えていてもよい。
これによって、軸体を回転軸にしてメダルが入った貯留部を回転させて、側面部を側方開口部から外方に倒し、メダルを箱状部材の側方に移動させることができる。また、本発明のメダル貸出機においては、この搬送や箱状部材の移動を行うための構造は屈曲などを繰り返す必要がないため、管状部材の屈曲を繰り返す必要が生じる従来の搬送構造に比べて、高い耐久性を持つ。
【００１２】
（６）　あるいは、前記側方搬送機構は、前記貯留部の側面に設けられたガイド部と、前記貯留部の下面に設けられたスライド部と、前記スライド部に係合する側方搬送機構駆動部と、を備え、前記側方搬送機構駆動部が、前記ガイド部によってガイドされる前記貯留部を前記側方開口部から外方にせり出させる、ようにしてもよい。
これによって、側方搬送機構駆動部が貯留部の下面に形成されたスライド部に係合して貯留部を駆動し、この駆動によって、貯留部は、ガイド部によってガイドされて側方開口部から外方にせり出し、それによって、貯留部に蓄えられていたメダルを箱状部材の側方に搬送することができる。また、本発明のメダル貸出機においては、この搬送や箱状部材の移動を行うための構造は屈曲などを繰り返す必要がないため、管状部材の屈曲を繰り返す必要が生じる従来の搬送構造に比べて、高い耐久性を持つ。
【００１３】
（７）　また、前記貯留部は前記遊技機のメダル投入部より高い位置にあり、前記側方搬送機構は前記メダル投入部へ前記メダルを搬送するように形成されていてもよい。
これによって、側方搬送機構は貯留部からスロットマシンのメダル投入部へメダルを流し込むことが可能となる。
【００１４】
（８）　さらに、　前記制御部は、まず前記回転駆動部または前記側方搬送機構駆動部が前記貯留部を元の位置に戻し、次に前記箱状部材駆動部が前記箱状部材を前記収納位置に戻すように制御をさらに行ってもよい。
これによって、側方搬送機構が筐体などに干渉することなく、箱状部材をスライド機構によって移動させて箱状部材を収納位置に戻すことができる。しかも、側方搬送機構によるメダルの搬送が完了した後は、箱状部材が収納位置に戻るため、メダル貸出機から遊技機にメダルを移動させるための構造が遊技者の邪魔になる可能性が低い。
【００１５】
（９）　また、本発明にかかるメダル貸出機は、前記貯留部および前記箱状部材の元の位置への収納を開始させる指示を入力する収納開始指示入力部をさらに有し、前記制御部は、前記収納開始指示入力部に入力があると、まず前記回転駆動部が前記貯留部を元の位置に戻し、次に前記箱状部材駆動部が前記箱状部材を前記収納位置に戻す制御をさらに行ってもよい。
【００１６】
（１０）　そして、本発明にかかるメダル貸出機は、前記上方開口部を介して前記貯留部に所与の枚数のメダルを供給するメダル供給部をさらに有し、前記制御部は、前記箱状部材が収納位置にある間に前記メダル供給部が前記貯留部にメダルを供給する制御をさらに行ってもよい。
これによって、メダル供給部から貯留部に確実にメダルを供給することができる。
【００１７】
【発明の実施の形態】
以下、本発明の好適な実施形態について、図面を参照しながら、さらに具体的に説明する。
【００１８】
１．　＜第１実施形態＞
図１は、第１実施形態に係るメダル貸出機１００およびスロットマシン２００が併設された状態で模式的な外観を示す斜視図である。図２は、メダル貸出機１００およびスロットマシン２００が併設された状態で示す模式的な正面図である。そして、図３はメダル貸出機の上部部分を側方から見た断面図である。
【００１９】
メダル貸出機１００は、スロットマシン２００などの遊技機に使用するメダルを貸し出すためのものである。また、メダル貸出機１００は、図１および図２に示すように遊技店舗に多数配置される各スロットマシン２００の脇に１台ずつ配置されることが一般的であり、本実施形態のメダル貸出機１００もスロットマシン２００に隣接して配置されるものである。スロットマシン２００で遊技を楽しもうとする遊技者は、まずメダル貸出機１００からメダルを借り、スロットマシン２００のメダル投入部３４にメダルを入れることにより遊技を開始することができる。
【００２０】
メダル貸出機１００は一般的に縦長の直方体形状の筐体４８を持ち、筐体４８の正面には、フロントパネル５０、金銭を投入してメダルを借りるための紙幣挿入口５２、貸し出すメダルの数量などを表示する表示部５４、箱状部材６０の前面板６４などが位置している。また、メダル貸出機１００はその内部に、メダル供給部５８と、箱状部材６０とを備えている。さらに、メダル貸出機１００は、図示しないが、箱状部材６０を筐体４８に対してスライドさせるためのスライド機構と、紙幣判別機と、制御部としてのコンピュータとを備えている。
【００２１】
メダル供給部５８は、メダルホッパ５９と、その上部に位置するメダル収納部５６とを含んで構成され、上方開口部６１を介して貯留部６５に所定枚数のメダルを供給する。メダル収納部５６は遊技店内部に設けられたメダル搬送路などを介して送られてくるメダルを一時的に収納する。メダルホッパ５９は、メダル収納部５６内にあるメダルを一枚ずつ所定枚数になるまで後続のメダル搬送路に送出する。
【００２２】
図４は箱状部材６０が筐体４８から突出し、側方搬送機構７１の貯留部６５が側方に差し出された状態を示す斜視図である。図５は側方搬送機構７１の斜視図である。また、図６は箱状部材６０の側方搬送機構７１付近を正面から見た断面図である。
【００２３】
箱状部材６０は、図３に示したように、前面板６４と、上方に向け開口する上方開口部６１と、上方開口部６１を介して上方に開口する管路６３と、管路６３によって運ばれるメダルを貯留する貯留部６５とを備えている。貯留部６５は隣接するスロットマシン２００のメダル投入部３４より高い位置に形成されている。また、箱状部材６０の前面板６４には、図４に示すように、収納開始指示入力部としてのボタンスイッチ６８が設けられている。ボタンスイッチ６８は、貯留部６５および箱状部材６０の元の位置への収納を開始させる指示を入力するために用いられる。
【００２４】
さらに、箱状部材６０は、図４に示すように、側方に開口する側方開口部６６と、貯留部６５内のメダルを側方開口部６６を介して箱状部材６０の外に搬送する側方搬送機構７１を備えている。
【００２５】
側方搬送機構７１は、図４または図５に示すように、側面部６７と、軸体７２と、回転駆動部としてのモータ７３とを含んで構成される。側面部７４は、貯留部６５の一部として設けられている。軸体７２は、貯留部６５の側方開口部６６側の底辺にほぼ平行に設けられて筐体４８に固定されている。側面部７４を含む貯留部６５の回転を駆動するモータ７３は、その軸に設けられた歯車７５が貯留部に形成された歯状部に噛み合った状態で回転することで軸体７２を回転軸として貯留部６５を回転させて、側面部７４を側方開口部６６から外方に倒すように駆動する。これによって、軸体７２を回転軸にしてメダルが入った貯留部６５を回転させて、側面部７４を側方開口部６６から外方に倒し、メダルを箱状部材６０の側方に移動させることができる。
【００２６】
なお、前述したように貯留部６５は隣接する遊技機としてのスロットマシン２００のメダル投入部３４より高い位置にある。そして、側方搬送機構７１は、外方に回転した貯留部６５の側面部７４の先端位置が、隣接するスロットマシン２００のメダル投入部３４の幾分上方に位置するように形成されている。したがって、メダル貸出機１００は、側方搬送機構７１が貯留部６５から隣接するスロットマシン２００のメダル投入部３４へメダルを流し込むことによって、隣接するスロットマシン２００のメダル投入部３４へメダルを搬送することができる。
【００２７】
スライド機構は、箱状部材６０が筐体４８にほぼ完全に収納され箱状部材６０の前面板６４がフロントパネル５０付近にある収納位置から、図１のように箱状部材６０が筐体４８のフロントパネル４８から所定距離だけ突出する突出位置まで、箱状部材６０を筐体４８に対してスライド可能とする。スライド機構は、駆動部としての図４に示したモータ８１と、図示しないレールおよび車輪の係合構造とを含んで構成される。モータ８１は、箱状部材６０がその収納位置と突出位置との間を移動するように駆動する。
【００２８】
図７は本実施形態のメダル貸出機１００の概要を示すブロックダイアグラムである。この図に示すように、メダル貸出機１００は前述した各構成部分の他に制御部６０を備えて構成されている。制御部６０は、例えば中央演算装置、記憶装置、記憶装置に記憶されたプログラム、および制御する各機器に対するインターフェースを備えて構成できるし、あるいは、ロジック回路および制御する各機器に対するインターフェースによって構成することもできる。以下、メダル貸出機１００の動作についてその概要を説明する。
【００２９】
図２に示した紙幣挿入口５２に紙幣が挿入されると、紙幣判別機８４は挿入された紙幣の真偽をまず判定する。挿入された紙幣が偽物であると判定した場合はその紙幣を紙幣挿入口５２に戻す。紙幣判別機８４は挿入された紙幣が本物と判定した場合、次に、その種類を判別し、判別結果を制御部７０へ送信する。
【００３０】
制御部７０は、判別された紙幣の金額に応じたメダルの数を演算し、その演算結果を、表示部５４に表示するとともにメダルホッパ５９に送信する。
【００３１】
メダルホッパ５９は、その演算結果の枚数のメダルを一枚ずつ送出する。メダルホッパ５９から送出されたメダルは、メダル供給部５８の一部である管路５７と、箱状部材６０に設けられた管路６３とを介して、貯留部６５に搬送される。なお、メダルホッパ５９から送出されるメダルが届いている間、貯留部６５を備える箱状部材６０は収納位置にあるように制御部７０によって制御されている。したがって、メダル供給部５８から貯留部６５に確実にメダルを供給することができる。
【００３２】
紙幣挿入口５２に挿入された紙幣の金額に対応する所定の枚数のメダルが、メダルホッパ５９から送出され貯留部６５に搬送された後に、制御部７０は箱状部材駆動部としてのモータ８１を動作させて、箱状部材６０をフロントパネルから突出する所定の位置まで移動させる。
【００３３】
次に、制御部７０は、側方搬送機構７１の回転駆動部としてのモータ７３を動作させ、軸体７２を回転軸にしてメダルが入った貯留部６５を回転させて、側面部７４を側方開口部６６より外方に倒す。前述したように、このとき側面部７４の先端位置は、隣接するスロットマシン２００のメダル投入部３４の幾分上方に位置するように形成されている。したがって、メダルは貯留部６５の側面部７４を介して隣接するスロットマシン２００のメダル投入部３４に流れ込む。
【００３４】
側方搬送機構７１によるメダルの搬送が完了した後に、ボタンスイッチ６８が押されると、制御部７０は、まず回転駆動部としてのモータ７３を駆動させて貯留部６５を元の位置に戻し、次に箱状部材駆動部としてのモータ８１を駆動させて箱状部材６０を収納位置すなわち筐体４８内にほぼ収まったに位置に戻すように制御する。したがって、メダル貸出機１００においては、側方搬送機構７１の側面部７４などが筐体４８などに干渉することなく、箱状部材６０を収納位置に戻すことができる。しかも、側方搬送機構７１によるメダルの搬送が完了した後は、箱状部材６０が収納位置に戻るため、その後はメダル貸出機１００からスロットマシン２００にメダルを移動させるための構造が遊技者の邪魔になることはない。
【００３５】
そして、箱状部材６０が収納位置に収まった後、再び、貯留部６５はメダルを受け入れることができる状態となる。すなわち、紙幣挿入口５２に紙幣が挿入されると、前述したような動作が繰り返される。
【００３６】
以上のように、本実施形態のメダル貸出機１００では、メダルを貯留する貯留部６５を備える箱状部材６０をスライド機構がスライドさせてフロントパネル５０から突出する位置まで移動させ、側方搬送機構７１によって貯留部６５内のメダルを箱状部材６０の側方開口部６６を介して箱状部材６０の外に搬送できるため、遊技者が直接手に触れることなくメダル貸出機１００から隣接するスロットマシン２００にメダルを移すことが可能となる。
【００３７】
また、本実施形態のメダル貸出機１００においては、箱状部材の移動や貯留部６５の回転を行うための構造は屈曲などを繰り返す必要がないため、管状部材の屈曲を繰り返す必要が生じる従来の搬送構造に比べて、高い耐久性を持つ。
【００３８】
２．　＜第２実施形態＞
第１実施形態では、貯留部を回転させることによってメダルを箱状部材の側方に搬送させる側方搬送機構を備えるメダル貸出機の例を示した。本実施形態のメダル貸出機は、貯留部から側方開口部を通るスロープを差し出すようにし、そのスロープ上をコインが搬送されるようにした側方搬送機構が用いられている点が第１実施形態とは異なる。その他の点は第１実施形態と同様である。
【００３９】
図８は第２実施形態のメダル貸出機１５０において箱状部材９０が筐体４８から突出し、側方搬送機構９４の貯留部８６が側方に差し出された状態を示す斜視図である。本実施形態の箱状部材９０は、図８に示したように、メダルを貯留する貯留部８６の形状が第１実施形態とは異なり、また、側方開口部６６を介して貯留部８６内のメダルを箱状部材９０の外に搬送する側方搬送機構９４が第１実施形態とは異なる。図９（Ａ），（Ｂ）および（Ｃ）は、側方搬送機構９４が動作する様子を箱状部材９０の前面板を取り除いた状態として示す模式的な正面図である。
【００４０】
側方搬送機構９４は、図８または図９に示すように、貯留部８６と、箱状部材９０に円弧状に形成されたガイド溝９１と、貯留部８６に設けられガイド溝９１に係合するように形成されたガイドピン９５と、モータ９６とを含んで構成される。なお、ガイド溝９１とガイドピン９５を含んでガイド部が構成される。貯留部８６の移動を駆動するモータ９６は、その軸に設けられた歯車９７が貯留部８６の下面側に形成されたスライド部としての歯状部８７に噛み合った状態で回転することで貯留部８６を駆動する。なお、モータ９６と歯車９７を含んで側方搬送機構駆動部が構成される。
【００４１】
この駆動によって、前述したようにガイドピン９５がガイド溝９１に係合している貯留部８６は、図９（Ａ），（Ｂ），および（Ｃ）に示すように、ガイドピン９５がガイド溝９１によってガイドされるとともにモータ９６に支持された状態で、側方開口部６６から外方にせり出して行くとともに図９における左側の端部が少しずつ下降するように貯留部８６を駆動する。これによって、貯留部８６に蓄えられていたメダルを、箱状部材９０の側方に移動させ、隣接するスロットマシンのメダル投入部３４に入れることが可能となる。なお、貯留部８６の形状は、これらの図に示したように側方から見た形状が弓状に形成されている。したがって、貯留部８６は、箱状部材９０内に収納されているときは側方開口部６６とは反対方向に傾き、メダルが零れ落ちない状態となる。そして、貯留部８６は、側方開口部６６からせり出した状態では、その弓状の形状のために図９（Ｃ）における左端側が下方に向くこととなり、メダルが隣接するスロットマシンのメダル投入部３４に流れ込むことになる。
【００４２】
また、第２実施形態のメダル貸出機１５０における貯留部８６も隣接する遊技機としてのスロットマシン２００のメダル投入部３４より高い位置にある。そして、側方搬送機構９４は、差し出した貯留部８６の先端位置が、隣接するスロットマシン２００のメダル投入部３４の幾分上方に位置するように形成されている。したがって、メダル貸出機１５０は、側方搬送機構９４が貯留部８６から隣接するスロットマシン２００のメダル投入部３４へメダルを流し込むことができる。すなわち、そのようにして隣接するスロットマシン２００のメダル投入部３４へメダルを搬送することができる。
【００４３】
３．　＜変形例＞
３．１　前述した実施形態では、収納開始指示入力部としてのボタンスイッチが押された後に、貯留部および箱状部材の元の位置への収納が開始される例を示した。しかしながら、ボタンスイッチを用いることなく、側方搬送機構によるメダルの搬送が完了した後に、自動的に貯留部および箱状部材の元の位置への収納が開始されるようにしてもよい。
【００４４】
３．２　本発明は前述した実施形態に限定されるものではなく、本発明の要旨の範囲内、または、特許請求の範囲の均等範囲内で、各種の変形実施が可能である。
【図面の簡単な説明】
【図１】第１実施形態に係るメダル貸出機およびスロットマシンが併設された状態で模式的な外観を示す斜視図である。
【図２】メダル貸出機およびスロットマシンが併設された状態で示す模式的な正面図である。
【図３】メダル貸出機の上部部分を側方から見た断面図である。
【図４】箱状部材が筐体から突出し、側方搬送機構の貯留部が側方に差し出された状態を示す斜視図である。
【図５】側方搬送機構の斜視図である。
【図６】箱状部材の側方搬送機構付近を正面から見た断面図である。
【図７】メダル貸出機の概要を示すブロックダイアグラムである。
【図８】第２実施形態のメダル貸出機において箱状部材が筐体から突出し、側方搬送機構の貯留部が側方に差し出された状態を示す斜視図である。
【図９】（Ａ），（Ｂ）および（Ｃ）は、側方搬送機構が動作する様子を箱状部材の前面板を取り除いた状態として示す模式的な正面図である。
【符号の説明】
３４　メダル投入部
４８　筐体
５０　フロントパネル
５８　メダル供給部
６０　箱状部材
６１　上方開口部
６４，８６　貯留部
６６　側方開口部
６８　ボタンスイッチ（収納開始指示入力部）
７０　制御部
７１，９４　側方搬送機構
７２　軸体
７３　モータ（回転駆動部）
７４　側面部
８１　モータ（箱状部財駆動部）
６７，８７　歯状部
７５，９７　歯車
９１　ガイド溝
９５　ガイドピン
９６　モータ（駆動部）
１００，１５０　メダル貸出機
２００　スロットマシン（遊技機）
【図１】
2004073546.tif 000003
【図２】
2004073546.tif 000004
【図３】
2004073546.tif 000005
【図４】
2004073546.tif 000006
【図５】
2004073546.tif 000007
【図６】
2004073546.tif 000008
【図７】
2004073546.tif 000009
【図８】
2004073546.tif 000010
【図９】
2004073546.tif 000011